(57)【特許請求の範囲】
【請求項１】
ディスプレイであって、
複数の表示要素のアレイと、
複数のカメラセンサと、
複数の反射鏡と、
前記ディスプレイの前面と、前記複数の反射鏡のそれぞれとの間に配置される複数の光ファイバと
を備え、
前記ディスプレイに入射する光は、前記複数の光ファイバに入射し、前記複数の反射鏡によって前記複数のカメラセンサに向けられ、１つ又は複数の前記表示要素から発散する光は、前記複数の反射鏡を透過し、前記複数の光ファイバを通じて前記ディスプレイを出射し、
前記複数の光ファイバのうちの少なくとも１つは、前記反射鏡によって前記カメラセンサに向けられた光が前記複数の光ファイバのうちの前記少なくとも１つを出射することを促す開放弁を有し、
前記開放弁は、前記複数の光ファイバのうちの前記少なくとも１つの表面に形成されている、
ディスプレイ。
【請求項２】
前記複数のカメラセンサは、前記ディスプレイの表示領域の一部に集中して配置される、
請求項１に記載のディスプレイ。
【請求項３】
前記複数のカメラセンサは、前記ディスプレイにおいて分散配置で配置される、
請求項１または２に記載のディスプレイ。
【請求項４】
前記複数の表示要素は、複数の有機発光ダイオードを含む、
請求項１から３の何れか一項に記載のディスプレイ。
【請求項５】
前記複数のカメラセンサは、前記複数の表示要素の前記アレイと、前記ディスプレイの前面層との間の中間層内に配置される、
請求項１から４の何れか一項に記載のディスプレイ。
【請求項６】
前記複数の反射鏡はそれぞれ、第１面、及び、前記第１面に対してある角度で配置された第２面を有し、
前記複数の反射鏡のそれぞれの前記第１面からの光を伝導する、複数の他の光ファイバ
を更に備え、
前記複数の反射鏡はそれぞれ、前記光ファイバと前記他の光ファイバとの間に配置され、前記光ファイバおよび前記他の光ファイバと共にカメラセンサ組立体を形成する、
請求項１から５の何れか一項に記載のディスプレイ。
【請求項７】
前記複数の反射鏡の１つ又は複数と、前記複数のカメラセンサの１つ又は複数との間に配置され、複数の入射光線の焦点を前記１つ又は複数のカメラセンサ上に合わせる１つ又は複数の集光レンズを更に備える、
請求項１から６の何れか一項に記載のディスプレイ。
【請求項８】
タッチスクリーンであり、ユーザが前記タッチスクリーンを介して入力を与えることを可能にする前記タッチスクリーンを更に備える、
請求項１から７の何れか一項に記載のディスプレイ。
【請求項９】
ディスプレイと
キーボードユニットと
を備え、
前記ディスプレイは、
複数の表示要素のアレイと、
複数のカメラセンサと、
複数の反射鏡と、
前記ディスプレイの前面と、前記複数の反射鏡のそれぞれとの間に配置される複数の光ファイバと
を有し、
前記ディスプレイに入射する光は、前記複数の光ファイバに入射し、前記複数の反射鏡によって前記複数のカメラセンサに向けられ、１つ又は複数の前記表示要素から発散する光は、前記複数の反射鏡を透過し、前記複数の光ファイバを通じて前記ディスプレイを出射し、
前記複数の光ファイバのうちの少なくとも１つは、前記反射鏡によって前記カメラセンサに向けられた光が前記複数の光ファイバのうちの前記少なくとも１つを出射することを促す開放弁を有し、
前記開放弁は、前記複数の光ファイバのうちの前記少なくとも１つの表面に形成されている、
情報処理システム。
【請求項１０】
前記複数のカメラセンサは、前記ディスプレイの表示領域の一部に集中して配置される、
請求項９に記載の情報処理システム。
【請求項１１】
前記複数のカメラセンサは、前記ディスプレイにおいて分散配置で配置される、
請求項９または１０に記載の情報処理システム。
【請求項１２】
前記複数の表示要素の１つ又は複数は、複数の有機発光ダイオードを含む、
請求項９から１１の何れか一項に記載の情報処理システム。
【請求項１３】
前記複数のカメラセンサの１つ又は複数は、前記複数の表示要素の前記アレイと、前記ディスプレイの前面層との間の中間層内に配置される、
請求項９から１２の何れか一項に記載の情報処理システム。
【請求項１４】
前記複数の反射鏡はそれぞれ、第１面、及び、前記第１面に対してある角度で配置された第２面を有し、
前記複数の反射鏡のそれぞれの前記第１面からの光を伝導する、複数の他の光ファイバ
を更に備え、
前記複数の反射鏡はそれぞれ、前記光ファイバと前記他の光ファイバとの間に配置され、前記光ファイバおよび前記他の光ファイバと共にカメラセンサ組立体を形成する、
請求項９から１３の何れか一項に記載の情報処理システム。
【請求項１５】
前記複数の反射鏡の１つ又は複数と、前記複数のカメラセンサの１つ又は複数との間に配置され、複数の入射光線の焦点を前記１つ又は複数のカメラセンサ上に合わせる１つ又は複数の集光レンズを更に備える、
請求項９から１４の何れか一項に記載の情報処理システム。
【請求項１６】
タッチスクリーンであり、ユーザが前記タッチスクリーンを介して入力を与えることを可能にする前記タッチスクリーンを更に備える、
請求項９から１５の何れか一項に記載の情報処理システム。
【請求項１７】
ディスプレイと統合するカメラセンサ組立体であって、
カメラセンサと、
第１面、及び、前記第１面に対してある角度で配置された第２面を有する反射鏡と、
前記反射鏡の前記第１面からの光を伝導する第１光ファイバと、
ある角度で配置された面を有し、前記反射鏡の前記第２面からの光を伝導する第２光ファイバと
を備え、
前記ディスプレイの表示要素から放出される複数の光線は、前記第１光ファイバに入射し、前記反射鏡を透過し、前記第２光ファイバを通じて出射することが可能であり、前記ディスプレイに入射する光は、前記第２光ファイバに入射し、前記反射鏡から前記カメラセンサへと反射されることが可能であり、
前記第２光ファイバは、前記反射鏡から反射された光が前記第２光ファイバを出射することを促す開放弁を有し、
前記開放弁は、前記第２光ファイバの表面に形成されている、
カメラセンサ組立体。
【請求項１８】
前記反射鏡は、前記第２面上に配置された反射性コーティングを有する、
請求項１７に記載のカメラセンサ組立体。
【請求項１９】
前記反射鏡から反射する複数の光線の焦点を前記カメラセンサ上に合わせる集光レンズを更に備える、
請求項１７または１８に記載のカメラセンサ組立体。
【請求項２０】
ディスプレイであって、
ピクセルを生成するピクセル生成手段と、
光学像の少なくとも一部を電子信号に変換する複数の光変換手段と、
光を反射する複数の光反射手段と、
前記ディスプレイの前面と、前記複数の光反射手段との間に配置される複数の光ファイバと
を備え、
前記ディスプレイに入射する光は、前記複数の光ファイバに入射し、前記複数の光反射手段によって前記複数の光変換手段に向けられ、前記ピクセル生成手段から発散する光の少なくとも一部は、前記複数の光反射手段を透過し、前記複数の光ファイバを通じて前記ディスプレイを出射し、
前記複数の光ファイバのうちの少なくとも１つは、前記光反射手段によって前記光変換手段に向けられた光が前記複数の光ファイバのうちの前記少なくとも１つを出射することを促す開放弁を有し、
前記開放弁は、前記複数の光ファイバのうちの前記少なくとも１つの表面に形成されている、
ディスプレイ。
【請求項２１】
前記複数の光変換手段は、前記ディスプレイの表示領域の一部に集中して配置される、
請求項２０に記載のディスプレイ。
【請求項２２】
前記複数の光変換手段は、前記ディスプレイにおいて分散配置で配置される、
請求項２０または２１に記載のディスプレイ。
【請求項２３】
前記ピクセル生成手段は、１つ又は複数の有機発光ダイオードを有する、
請求項２０から２２の何れか一項に記載のディスプレイ。
【請求項２４】
前記複数の光変換手段は、前記ピクセル生成手段と、前記ディスプレイの前面層との間の中間層内に配置される、
請求項２０から２３の何れか一項に記載のディスプレイ。
【請求項２５】
前記複数の光反射手段はそれぞれ、第１面、及び、前記第１面に対してある角度で配置された第２面を有し、
前記複数の光反射手段のそれぞれの前記第１面からの光を伝導する、複数の他の光ファイバ
を更に備え、
前記複数の光反射手段はそれぞれ、前記光ファイバと前記他の光ファイバとの間に配置され、前記光ファイバおよび前記他の光ファイバと共にカメラセンサ組立体を形成する、
請求項２０から２４の何れか一項に記載のディスプレイ。
【請求項２６】
複数の入射光線の焦点を前記複数の光変換手段の１つ又は複数の光変換手段上に合わせるべく前記複数の光反射手段の１つ又は複数と前記複数の光変換手段の１つ又は複数との間に配置された、複数の光線の焦点を合わせる手段を更に備える、
請求項２０から２５の何れか一項に記載のディスプレイ。
【請求項２７】
タッチスクリーンであり、ユーザが前記タッチスクリーンを介して入力を与えることを可能にする前記タッチスクリーンを更に備える、
請求項２０から２６の何れか一項に記載のディスプレイ。
【発明の詳細な説明】
【背景技術】
【０００１】
ディスプレイは一般的に、表示区域を囲うベゼル上のような、表示区域の外部に物理的に配置される何らかのカメラを含む。その結果、結果として生じるディスプレイ筐体は、カメラが表示区域の外部に配置されるので、元のものより僅かに大きくなるかもしない、そうでなければ、そうなるであろう。更に、ベゼルにおけるカメラ用の開口をいくら隠そうと努力しても、カメラは目に見えるかもしれない。これは、ディスプレイの外観を損ね得る。
【図面の簡単な説明】
【０００２】
特許請求の範囲に記載された主題は、明細書の結び部分で具体的に指し示され、明確に主張される。但し、そのような主題は、添付の図面を読んだ場合に、以下の詳細な説明を参照することで理解されてもよい。
【０００３】
【図１】１つ又は複数の実施形態による、組み込み型カメラを備えるディスプレイの前面図である。
【０００４】
【図２】１つ又は複数の実施形態による、組み込み型カメラを有するキーボードおよびディスプレイを備えるシステムの前面図である。
【０００５】
【図３】１つ又は複数の実施形態による、カメラセンサを含むディスプレイの１ピクセル用の、カメラセンサ組立体の側面図である。
【０００６】
【図４Ａ】１つ又は複数の実施形態による、図３に示されるカメラセンサ組立体を製造すべく利用される複数のコンポーネントの複数の図の１つである。
【図４Ｂ】１つ又は複数の実施形態による、図３に示されるカメラセンサ組立体を製造すべく利用される複数のコンポーネントの複数の図の１つである。
【０００７】
【図５】１つ又は複数の実施形態による、選択された複数のピクセルにカメラセンサを備えるディスプレイの側面図である。
【０００８】
【図６】１つ又は複数の実施形態による、組み込み型カメラを備えるディスプレイを利用可能な情報処理システムのブロック図である。
【０００９】
例示の簡潔性および／または明瞭性のため、複数の図面に示される複数の要素は必ずしも一定の縮尺で描かれていないことが理解されるであろう。例えば、明瞭性のため、複数の要素の幾つかの複数の寸法は、他の複数の要素に比べて強調されているかもしれない。更に、適切と考えられる場合には、複数の図面間で対応および／または類似する複数の要素を示すべく複数の参照番号が繰り返されている。
【発明を実施するための形態】
【００１０】
以下の詳細な説明において、特許請求の範囲に記載された主題の深い理解を提供すべく、多数の具体的な詳細が記述されている。しかしながら、特許請求の範囲に記載された主題は、これらの具体的な詳細が無くとも実施され得ることが、当業者によって理解されるであろう。他の複数の例において、周知の方法、手順、コンポーネントおよび／または回路は、詳細に説明されていない。
【００１１】
以下の説明および／または特許請求の範囲において、「結合された」という用語、および／または、「接続された」という用語が、それらの派生語と共に用いられ得る。特有の複数の実施形態において、「接続された」は、２つ又はそれより多くの要素が互いに直接、物理的および／または電気的に接触することを示すべく用いられ得る。「結合された」は、２つ又はそれより多くの要素が直接、物理的および／または電気的に接触することを意味し得る。しかしながら、「結合された」は、２つ又はそれより多くの要素が互いに直接接触し得ないものの、尚もまだ互いに協働および／または相互作用し得ることも意味し得る。例えば、「結合された」は、２つ又はそれより多くの要素が、互いに接触しないが、別の要素または複数の中間要素を介して、間接的に一緒に連結されることを意味し得る。最後に、「上の（ｏｎ）」、「上にある（ｏｖｅｒｌｙｉｎｇ）」および「上方に（ｏｖｅｒ）」といった複数の用語が、以下の説明および特許請求の範囲で用いられ得る。「上の（ｏｎ）」、「上にある（ｏｖｅｒｌｙｉｎｇ）」および「上方に（ｏｖｅｒ）」は、２つ又はそれより多くの要素が互いに直接、物理的に接触することを示すべく用いられ得る。しかしながら、「上方に（ｏｖｅｒ）」は、２つ又はそれより多くの要素が互いに直接接触しないことも意味し得る。例えば、「上方に（ｏｖｅｒ）」は、１つの要素が別の要素の上にあるが、互いに接触しないで、その２つの要素の中間に別の要素または複数の要素を有し得ることを意味し得る。更に、特許請求の範囲に記載された主題の範囲はこの点で限定されないが、「および／または」という用語は、「および」を意味し得、「または」を意味し得、「排他的な『または』」を意味し得、「１つ」を意味し得、「幾つかであるが全てではない」を意味し得、「何れか一方」を意味し得、および／または、「両方」を意味し得る。以下の説明および／または特許請求の範囲において、「備える（ｃｏｍｐｒｉｓｅ）」および「含む（ｉｎｃｌｕｄｅ）」といった複数の用語が、それらの派生語と共に用いられ得、互いに類義語として意図されている。
【００１２】
ここで図１を参照して、１つ又は複数の実施形態による、組み込み型カメラを備えるディスプレイの前面図が論じられるであろう。図１に示されるように、ディスプレイ１００は、ディスプレイ１００の１つ又は複数のピクセルと統合された複数のカメラセンサ１１２のアレイを有する組み込み型カメラ１１０を含んでもよい。１つ又は複数の実施形態では、複数のカメラセンサ１１２は、例えば、電荷結合素子（ＣＣＤ）センサまたは相補型金属酸化膜半導体（ＣＭＯＳ）センサといった、任意の適切なタイプのイメージセンサ技術を有してもよく、特許請求の範囲に記載された主題の範囲はこの点で限定されない。例示目的で、複数のカメラセンサ１１２の３×３アレイを有するカメラ１１０が示されている。これは、必ずしも一定の縮尺で示されていない。カメラ１１０は、任意の様々なパターンまたは分布の任意の数のカメラセンサ１１２を、任意の数のカメラセンサ１１２と共に備え得ることに留意すべきである。特許請求の範囲に記載された主題の範囲は、この点で限定されない。１つの実施形態では、カメラ１１０は、例えば、ディスプレイガラス１１４の上部の近くで中心に位置し、且つ、ディスプレイガラス１１４の後ろおよび／または内部に位置するように、ディスプレイ１００の選択された領域内に位置してもよい。そのような実施形態では、複数のカメラセンサ１１２は概して、より集中したパターンで、一緒に密集して離間されてもよい。他の複数の実施形態では、例えば、以下の図２に示されるように、複数のカメラセンサ１１２は概して、より分散されたパターンで離間されてもよい。概して、複数のカメラセンサ１１２は、任意のパターン、間隔または集中度で配置されてもよい。幾つかの実施形態において、複数のカメラセンサ１１２の数が、ディスプレイ１００の複数のピクセルの数と等しくなる又はほぼ等しくなるように、ディスプレイ１００の対応するピクセル毎に一つのカメラセンサ１１２がある。特許請求の範囲に記載された主題の範囲は、これらの点で限定されない。図１に示される実施形態では、ディスプレイ１００は、ディスプレイ１００上に表示されることになるビデオ信号を提供する、パーソナルコンピュータ、ノートブックコンピュータ、ケーブル又は衛星テレビコンバータボックス、インターネットテレビボックス等の別のデバイスに接続されることが可能なスタンドアロンディスプレイを備えてもよい。代替的に、ディスプレイ１００は、携帯電話、スマートフォン、タブレット、タブレットフォームファクタ内のパーソナルコンピュータ等のスタンドアロンデバイスを備えてもよい。特許請求の範囲に記載された主題の範囲はこれらの点で限定されない。幾つかの実施形態において、ディスプレイ１００を見るユーザがカメラ１１０の存在に気付き得ないように又は検出し得ないように、複数のカメラセンサ１１２はディスプレイ１００内に統合され、且つ、カメラ１１０はディスプレイ１００の操作に干渉しないことに留意すべきである。
【００１３】
ここで図２を参照して、１つ又は複数の実施形態による、組み込み型カメラを有するキーボードおよびディスプレイを備えるシステムの前面図が論じられるであろう。図２では、ディスプレイ１００のカメラ１１０が、複数の例示目的で、複数のカメラセンサ１１２の分散配置を有している点を除いて、図２のディスプレイ１００は図１のディスプレイ１００と実質的に同様である。更に、ディスプレイ１００はシステム２００の一部であってもよく、システム２００は、ディスプレイ１００と、ディスプレイ１００に取り付けられる、又はそうでなければディスプレイ１００と結合されることが可能な、キーボードユニット２１０とを備える。例えば、システム２００は、ノートブックコンピュータ、Ｕｌｔｒａｂｏｏｋ（登録商標）システム、又は、コンバーチブルコンピュータを備えてもよい。代替的に、ディスプレイ１００は、ノートブックのようなフォームファクタを提供すべく、キーボードユニット２１０と結合可能なタブレット又はタブレットコンピュータを備えてもよい。キーボードユニット２１０は、幾つかの実施形態において、キーボード２１２、トラッキングパッド２１４、および／または、１つ又は複数の入力ボタン（不図示）を含んでもよい。これらの例は、組み込み型カメラ１１０を備えるディスプレイ１００を利用し得るシステム２００の単なる様々なフォームファクタに過ぎず、特許請求の範囲に記載された主題の範囲はこれらの点で限定されない。図２は、複数のカメラセンサ１１２の分散配置を有するカメラ１１０を示しているが、これは単に複数の例示目的であり、図１のディスプレイ１００が同様にシステム２００で利用されてもよいことに留意すべきである。特許請求の範囲に記載された主題の範囲は、この点で限定されない。ディスプレイ１００での利用に適切なカメラセンサ組立体の例が、以下の図３に関して示され、説明される。
【００１４】
ここで図３を参照して、１つ又は複数の実施形態による、カメラセンサを含むディスプレイの１ピクセル用の、カメラセンサ組立体の側面図が論じられるであろう。図３に示されるように、カメラセンサ組立体３００は、第１光ファイバ３１２、第２光ファイバ３１４およびミラーガラス３１６を含む、ジャケット３１０または筐体を備える。ミラーガラス３１６は、ガラス、プラスチック又は複合材料などの、透明な材料または少なくとも部分的に透明な材料を含んでもよい。ミラーガラス３１６は更に反射性コーティング３１８を含んでもよく、これによって、１つの方向から反射性コーティング３１８に突き当たる複数の光線は反射性コーティング３１８の面から反射されてもよく、ミラーガラス３１６を透過した後に反射性コーティング３１８に突き当たる複数の光線は反射性コーティング３１８を透過してもよい。換言すると、ミラーガラス３１６および反射コーティング３１８は、以下で更に詳細に論じられるようなマジックミラーとして機能してもよい。
【００１５】
カバーガラス３２０は、第２光ファイバ３１４に隣接して配置されてもよく、且つ、カバーガラス、プラスチック或いは複合材料の別個の要素を含んでもよく、若しくは、ディスプレイ１００のディスプレイガラス１１４であるカバーガラス、プラスチック或いは複合材料を含んでもよい。第２光ファイバ３１４は更に、複数の光線が第２光ファイバ３１４から出射すること、および／または、第２光ファイバ３１４へと入射することを促すべく、第２光ファイバ３１４内に形成された開放弁３２２を含んでもよい。１つ又は複数の実施形態において、カメラセンサ１１２は、開放弁３２２に隣接するカメラセンサ組立体３００と結合されてもよい。更に、焦点レンズ３２４は、開放弁３２２とカメラセンサ１１２との間で、カメラセンサ１１２に隣接して配置されてもよい。１つ又は複数の実施形態において、ターゲットまたはオブジェクト３２８から（from or off of）発散する複数の光線３３０は、カバーガラス３２０を通じてカメラセンサ組立体３００に入射し、第２光ファイバ３１４を透過し、反射性コーティング３１８に突き当たってもよい。ミラーガラス３１６および反射コーティング３１８はθといったある角度で配置されているので、複数の光線３３０は、反射性コーティング３１８から反射し、カメラセンサ１１２に向かって向け直される。複数の光線３３０は、開放弁３２２を介して第２光ファイバ３１４を出射し、焦点レンズ３２４によってカメラセンサ１１２上に焦点を合わされる。これに加えて、ディスプレイ１００の１ピクセルに対応する表示要素３２６は、第１光ファイバ３１２に隣接するカメラセンサ組立体３００の一端に配置される。表示要素３２６は、有機発光ダイオード（ＯＬＥＤ）又は同様のデバイスを備えてもよく、特許請求の範囲に記載された主題の範囲はこの点で限定されない。表示要素から発散する複数の光線３３２は、通常のピクセル操作に関して、第１光ファイバ３１２を通じてカメラピクセル組立体３００に入射し、ミラーガラス３１６および第２光ファイバ３２０を透過し、カメラセンサ組立体３００から出射し、カバーガラス３２０を透過する。カメラセンサ組立体３００の複数のコンポーネントが構成され得る方法の例が、図４Ａおよび図４Ｂに示され、それらに関して以下で説明される。
【００１６】
ここで図４Ａおよび４Ｂを参照して、１つ又は複数の実施形態による、図３に示されたカメラセンサ組立体を製造するのに利用される複数のコンポーネントの複数の図が論じられるであろう。図４Ａおよび４Ｂの両方に示されるように、第１光ファイバ３１２は、バッファ４１０と、クラッド４１２と、コア４１４とを備えてもよく、ミラーガラス３１６と結合するように形成されてもよい。ミラーガラス３１６は、θといったある角度で形成された面を有してもよい。その角度を有する面は、その面上に形成された反射性コーティング３１８を有してもよい。同様に、第２光ファイバ３１４は、ミラーガラス３１６の角度を有する面と結合すべく、θといったある角度で形成された面を有してもよい。更に、第２光ファイバ３１４は、その中に形成された開放弁３２２を有してもよく、第１光ファイバ３１２と同様に、バッファ４１０と、クラッド４１２と、コア４１４とを備えてもよい。図４Ａおよび図４Ｂの個別のコンポーネントは、例えば、光学的に透明な接着剤を用いて、形成されて組み立てられてもよく、この結果として、図３に示され、それに関して上記で説明されたカメラセンサ組立体３００をもたらしてもよい。カメラセンサ組立体３００は、例えば、図５に示され、それに関して以下で説明されるような１つ又は複数のカメラセンサ組立体３００を含み得るディスプレイ１００の複数の表示要素のアレイにおいて、ディスプレイ１００の対応するピクセルと統合されてもよい。
【００１７】
ここで図５を参照して、１つ又は複数の実施形態による、選択された複数のピクセルにカメラセンサを備えるディスプレイの側面図が論じられるであろう。図５は、複数の表示要素５１２のアレイと、中間層５１４と、ディスプレイガラス１１４とを収容する筐体５１０を備える、ディスプレイ１００の側方断面図を示している。複数の表示要素５１２のアレイは、例えば、複数の有機発光ダイオード（ＯＬＥＤ）および対応する複数の制御トランジスタのアレイ等を有する薄膜トランジスタ（ＴＦＴ）層といった、図３に示される複数の表示要素３２６のアレイを有してもよい。特許請求の範囲に記載された主題の範囲はこの点で限定されないが、中間層５１４は、複数の表示要素５１２のアレイをディスプレイガラス１１４に調和させる層を備えてもよく、例えば、酸化インジウム錫（ＩＴＯ）材料、又は、プラスチック若しくは複合材料といった透明な材料を備えてもよい。１つ又は複数のカメラセンサ１１２を備える１つ又は複数のカメラセンサ組立体３００は、中間層５１４内に配置されてもよい。１つ又は複数の実施形態において、複数の表示要素５１２のアレイのうちの表示要素３２６は、図３に示されるように、対応するカメラセンサ組立体３００と結合してもよく、および／または、図３のカバーガラス３２０は、図５のディスプレイガラス１１４に対応してもよい。１つ又は複数の実施形態において、ディスプレイ１００は更に、ユーザがタッチスクリーン５１６を介して入力を与えることを可能にする、タッチスクリーン５１６を備えてもよい。幾つかの実施形態において、複数のカメラセンサ１１２は、ディスプレイ１００を見るユーザがカメラ１１０の存在に気付き得ない又は検出し得ないように、且つ、カメラ１１０がディスプレイ１００の操作に干渉しないように、ディスプレイ１００内で統合されることに留意すべきである。ディスプレイ１００は、図６に示され、それに関して以下で説明される情報処理システムの一部であってもよい。
【００１８】
ここで図６を参照して、１つ又は複数の実施形態による、組み込み型カメラを備えるディスプレイを利用可能な情報処理システムのブロック図が論じられるであろう。図６の情報処理システム６００は、図１および図２に示されるディスプレイ１００を利用する電子デバイスの複数の電子コンポーネントを、特有のデバイスの複数のハードウェア仕様に応じて、それより多い又はそれより少ないコンポーネントと共に、実体的に具現してもよい。情報処理システム６００は幾つかのタイプのコンピューティングプラットフォームの一例を表しているが、情報処理システム６００は、図６に示されるものよりも多い又は少ない要素、および／または、それとは異なる複数の要素配置を含んでもよい。特許請求の範囲に記載された主題の範囲は、これらの点で限定されない。
【００１９】
１つ又は複数の実施形態において、情報処理システム６００は、応用プロセッサ６１０とベースバンドプロセッサ６１２とを含んでもよい。応用プロセッサ６１０は、情報処理システム６００用の複数のアプリケーションおよび様々なサブシステムを動作させる汎用プロセッサとして利用されてもよい。応用プロセッサ６１０は、単一コアを含んでもよく、又は代替的に、複数のコアの１つ又は複数がデジタル信号プロセッサまたはデジタル信号処理（ＤＳＰ）コアを有し得る、複数の多重処理コアを含んでもよい。更に、応用プロセッサ６１０は、同じチップ上に配置されたグラフィックプロセッサ若しくはコプロセッサを含んでもよく、又は代替的に、応用プロセッサ６１０に結合されたグラフィックプロセッサが、分離した別のグラフィックスチップを含んでもよい。応用プロセッサ６１０は、キャッシュメモリのようなオンボードメモリを含んでもよく、更に、動作中に複数のアプリケーションを格納および／または伝導するためのシンクロナスダイナミックランダムアクセスメモリ（ＳＤＲＡＭ）６１４、及び、情報処理システム６００が電源をオフにされている場合でさえも複数のアプリケーションおよび／またはデータを格納するためのＮＡＮＤフラッシュ６１６などの、複数の外部メモリデバイスに結合されてもよい。１つ又は複数の実施形態において、情報処理システム６００を、および／または、本明細書で説明された態様で動作するその複数のコンポーネント若しくは複数のサブシステムの何れかを操作または構成する複数の命令が、非一時的記憶媒体を含む製造品上に格納されてもよい。特許請求の範囲に記載された主題の範囲はこの点で限定されないが、１つ又は複数の実施形態において、記憶媒体は、本明細書で示されて説明された複数のメモリデバイスの何れかを含んでもよい。ベースバンドプロセッサ６１２は、情報処理システム６００用の複数の広帯域無線機能を制御してもよい。ベースバンドプロセッサ６１２は、複数の広帯域無線機能のような制御用コードをＮＯＲフラッシュ６１８に格納してもよい。ベースバンドプロセッサ６１２は、例えば、３ＧＰＰ ＬＴＥまたはＬＴＥ−Ａｄｖａｎｃｅｄネットワーク等を介して通信するための複数の広帯域ネットワーク信号を変調および／または復調するのに用いられる無線広域エリアネットワーク（ＷＷＡＮ）送受信機６２０を制御する。
【００２０】
概して、ＷＷＡＮ送受信機６２０は、以下の複数の無線通信技術、および／または、それを含む複数の規格の任意の１つまたは複数にしたがって動作してもよいが、これらに限定されない：Ｇｌｏｂａｌ Ｓｙｓｔｅｍ ｆｏｒ Ｍｏｂｉｌｅ Ｃｏｍｍｕｎｉｃａｔｉｏｎｓ（ＧＳＭ（登録商標））無線通信技術、汎用パケット無線サービス（ＧＰＲＳ）無線通信技術、Ｅｎｈａｎｃｅｄ Ｄａｔａ Ｒａｔｅｓ ｆｏｒ ＧＳＭ（登録商標） Ｅｖｏｌｕｔｉｏｎ（ＥＤＧＥ）無線通信技術、および／または、例えば、ユニバーサル移動通信システム（ＵＭＴＳ）、Ｆｒｅｅｄｏｍ ｏｆ Ｍｕｌｔｉｍｅｄｉａ Ａｃｃｅｓｓ（ＦＯＭＡ）、３ＧＰＰロングタームエボリューション（ＬＴＥ）、３ＧＰＰアドバンスドロングタームエボリューション（ＬＴＥ−Ａｄｖａｎｃｅｄ）、符号分割多重アクセス２０００（ＣＤＭＡ２０００）、セルラデジタルパケットデータ（ＣＤＰＤ）、モビテックス、第３世代（３Ｇ）、回路交換データ（ＣＳＤ）、高速回路交換データ（ＨＳＣＳＤ）、ユニバーサル移動通信システム（第３世代）（ＵＭＴＳ（３Ｇ））、広帯域符号分割多重アクセス（ユニバーサル移動通信システム）（Ｗ−ＣＤＭＡ（ＵＭＴＳ））、高速パケットアクセス（ＨＳＰＡ）、高速ダウンリンクパケットアクセス（ＨＳＤＰＡ）、高速アップリンクパケットアクセス（ＨＳＵＰＡ）、高速パケットアクセスプラス（ＨＳＰＡ＋）、ユニバーサル移動通信システム−時分割複信（ＵＭＴＳ−ＴＤＤ）、時分割符号分割多重アクセス（ＴＤ−ＣＤＭＡ）、時分割同期符号分割多重アクセス（ＴＤ−ＳＣＤＭＡ）、第３世代パートナーシッププロジェクトリリース８（第４世代前）（３ＧＰＰ Ｒｅｌ. ８ （Ｐｒｅ−４Ｇ））、ＵＭＴＳ地上無線アクセス（ＵＴＲＡ）、進化型ＵＭＴＳ地上無線アクセス（Ｅ−ＵＴＲＡ）、アドバンスドロングタームエボリューション（第４世代）（ＬＴＥ−Ａｄｖａｎｃｅｄ（４Ｇ））、ｃｄｍａＯｎｅ （２Ｇ）、符号分割多重アクセス２０００（第３世代）（ＣＤＭＡ２０００（３Ｇ））、Ｅｖｏｌｕｔｉｏｎ−Ｄａｔａ Ｏｐｔｉｍｉｚｅｄ ｏｒ Ｅｖｏｌｕｔｉｏｎ−Ｄａｔａ Ｏｎｌｙ （ＥＶ−ＤＯ）、高度携帯電話システム（第１世代）（ＡＭＰＳ（１Ｇ））、トータルアクセス通信システム／拡張トータルアクセス通信システム（ＴＡＣＳ／ＥＴＡＣＳ）、デジタルＡＭＰＳ（第２世代）（Ｄ−ＡＭＰＳ（２Ｇ））、プッシュツートーク（ＰＴＴ）、移動電話システム（ＭＴ）、Ｉｍｐｒｏｖｅｄ移動電話システム（ＩＭＴＳ）、Ａｄｖａｎｃｅｄ移動電話システム（ＡＭＴＳ）、ＯＬＴ（パブリックランドモバイルテレフォニー、ノルウェー語でＯｆｆｅｎｔｌｉｇ Ｌａｎｄｍｏｂｉｌ Ｔｅｌｅｆｏｎｉ）、ＭＴＤ（モバイルテレフォニーシステムＤ、又は、スウェーデン語でａｂｂｒｅｖｉａｔｉｏｎ ｆｏｒ Ｍｏｂｉｌｔｅｌｅｆｏｎｉｓｙｓｔｅｍ Ｄ）、Ｐｕｂｌｉｃ Ａｕｔｏｍａｔｅｄ Ｌａｎｄ Ｍｏｂｉｌｅ（Ａｕｔｏｔｅｌ／ＰＡＬＭ）、ＡＲＰ（「カーラジオフォン」、フィンランド度でＡｕｔｏｒａｄｉｏｐｕｈｅｌｉｎ,）、ＮＭＴ（Ｎｏｒｄｉｃ Ｍｏｂｉｌｅ Ｔｅｌｅｐｈｏｎｙ）、Ｈｉｇｈ ｃａｐａｃｉｔｙ ｖｅｒｓｉｏｎ ｏｆ ＮＴＴ（Ｎｉｐｐｏｎ Ｔｅｌｅｇ���ａｐｈ ａｎｄ Ｔｅｌｅｐｈｏｎｅ）（Ｈｉｃａｐ）、セルラデジタルパケットデータ（ＣＤＰＤ）、モビテックス、ＤａｔａＴＡＣ、Ｉｎｔｅｇｒａｔｅｄ Ｄｉｇｉｔａｌ Ｅｎｈａｎｃｅｄ Ｎｅｔｗｏｒｋ（ｉＤＥＮ）、パーソナルデジタルセルラ（ＰＤＣ）、回路交換データ （ＣＳＤ）、Ｐｅｒｓｏｎａｌ Ｈａｎｄｙ−ｐｈｏｎｅ Ｓｙｓｔｅｍ（ＰＨＳ）、Ｗｉｄｅｂａｎｄ Ｉｎｔｅｇｒａｔｅｄ Ｄｉｇｉｔａｌ Ｅｎｈａｎｃｅｄ Ｎｅｔｗｏｒｋ（ＷｉＤＥＮ）、ｉＢｕｒｓｔ、（３ＧＰＰ汎用アクセスネットワークまたはＧＡＮ規格と称されもする）Ｕｎｌｉｃｅｎｓｅｄ Ｍｏｂｉｌｅ Ａｃｃｅｓｓ（ＵＭＡ）、Ｚｉｇｂｅｅ（登録商標）、Ｂｌｕｅｔｏｏｔｈ（登録商標）、並びに／若しくは、一般的な複数のテレメトリ送受信機といった、第３世代パートナーシッププロジェクト（３ＧＰＰ）無線通信技術、且つ、概して、任意のタイプのＲＦ回路又はＲＦＩ高感度回路。そのような複数の規格は経年的に進化し得、および／または、複数の新たな規格が普及され得ることに留意すべきである。特許請求の範囲に記載された主題の範囲は、この点で限定されない。
【００２１】
ＷＷＡＮ送受信機６２０は、ＷＷＡＮ広帯域ネットワークを介して複数の無線周波数信号を送信及び受信するための１つ又は複数のアンテナ６２４にそれぞれ結合された、１つ又は複数の電力増幅器６２２に結合する。ベースバンドプロセッサ６１２はまた、１つ又は複数の適切なアンテナ６２８に結合された無線ローカルエリアネットワーク（ＷＬＡＮ）送受信機６２６を制御してもよい。無線ローカルエリアネットワーク（ＷＬＡＮ）送受信機６２６は、Ｗｉ−Ｆｉ（登録商標）、Ｂｌｕｅｔｏｏｔｈ（登録商標）、および／または、ＩＥＥＥ８０２.１１ ａ／ｂ／ｇ／ｎ規格等を含む振幅変調（ＡＭ）若しくは周波数変調（ＦＭ）無線規格を介して、通信可能であってもよい。これらは単に、応用プロセッサ６１０およびベースバンドプロセッサ６１２用の例示的な実装形態であることに留意すべきである。特許請求の範囲に記載された主題の範囲は、これらの点で限定されない。例えば、ＳＤＲＡＭ６１４、ＮＡＮＤフラッシュ６１６、および／または、ＮＯＲフラッシュ６１８の任意の１つまたは複数は、磁気メモリ、カルコゲニドメモリ、相変化メモリ、又は、オボニックメモリなどの他の複数のタイプのメモリ技術を含んでもよく、特許請求の範囲に記載された主題の範囲はこの点で限定されない。
【００２２】
１つ又は複数の実施形態において、応用プロセッサ６１０は、様々な情報またはデータを表示するためのディスプレイ１１０を駆動してもよく、更に、例えば指またはスタイラスにより、タッチスクリーン６３２を介してユーザからのタッチ入力を受信してもよい。環境光センサ６３４は、例えば、環境光センサ６３４によって検出される環境光の強度の関数としての、ディスプレイ１００に対する輝度値又はコントラスト値を制御すべく、情報処理システム６００が動作している場所での環境光の量を検出するのに利用されてもよい。１つ又は複数のカメラ１１０は、応用プロセッサ６１０によって処理される、および／または、少なくとも一時的にＮＡＮＤフラッシュ６１６に格納される、複数のイメージをキャプチャするのに利用されてもよい。更に、応用プロセッサは、情報処理システム６００の位置、動き、および／または、向きを含む様々な環境特性の検出用に、ジャイロスコープ６３８、加速度計６４０、磁力計６４２、オーディオコーダ／デコーダ（コーデック）６４４、および／または、適切な全地球測位システム（ＧＰＳ）アンテナ６４８に結合されたＧＰＳコントローラ６４６に結合してもよい。代替的に、コントローラ６４６は、全地球ナビゲーション衛星システム（ＧＮＳＳ）コントローラを含んでもよい。オーディオコーデック６４４は、例えばヘッドフォンおよびマイクジャック経由といった、複数のオーディオポート６５０を介して情報処理システムに結合される複数の外部デバイス経由で、及び、複数の内部デバイス経由で、またはその何れか一方を経由して、マイク入力および複数のスピーカ出力を提供する１つ又は複数のオーディオポート６５０に結合されてもよい。これに加えて、応用プロセッサ６１０は、ユニバーサルシリアルバス（ＵＳＢ）ポート、ｈｉｇｈ−ｄｅｆｉｎｉｔｉｏｎ ｍｕｌｔｉｍｅｄｉａ ｉｎｔｅｒｆａｃｅ（ＨＤＭＩ（登録商標））ポート、シリアルポート等の、１つ又は複数の入力／出力（Ｉ／Ｏ）ポート６５４に結合した１つ又は複数のＩ／Ｏ送受信機６１２に結合してもよい。更に、特許請求の範囲に記載された主題の範囲はこれらの点で限定されないが、複数のＩ／Ｏ送受信機６１２の１つ又は複数は、セキュアデジタル（ＳＤ）カードまたは加入者識別モジュール（ＳＩＭ）カードなどの任意のリムーバブルメモリ用の１つ又は複数のメモリスロット６５６に結合してもよい。
【００２３】
組み込み型カメラを備えるディスプレイの複数の例示的な実装形態は、以下の通りであってもよい。第１の例において、ディスプレイは、複数の表示要素のアレイと、１つ又は複数のカメラセンサと、１つ又は複数の反射鏡とを備え、ディスプレイに入射する光は、１つ又は複数の反射鏡の少なくとも１つによって１つ又は複数のカメラセンサの少なくとも１つに向けられ、１つ又は複数の表示要素から発散する光は、１つ又は複数の反射鏡の少なくとも１つを透過してディスプレイを出射する。１つ又は複数のカメラセンサは、ディスプレイの選択された領域に配置されてもよい。１つ又は複数のカメラセンサは、ディスプレイにおいて分散配置で配置されてもよい。複数の表示要素は、複数の有機発光ダイオードを含んでもよい。１つ又は複数のカメラセンサは、複数の表示要素のアレイと、ディスプレイの前面層との間の中間層内に配置されてもよい。複数の反射鏡の１つ又は複数は、第１光ファイバと第２光ファイバとの間に配置され、カメラセンサ組立体を形成してもよい。ディスプレイは更に、複数の反射鏡の１つ又は複数と、複数のカメラセンサの１つ又は複数との間に配置され、複数の入射光線の焦点を１つ又は複数のカメラセンサ上に合わせる１つ又は複数の集光レンズを備えてもよい。ディスプレイは更に、タッチスクリーンであり、ユーザがタッチスクリーンを介して入力を与えることを可能にするタッチスクリーンを備えてもよい。
【００２４】
第２の例において、情報処理システムは、ディスプレイと、キーボードユニットとを備える。ディスプレイは、上記で論じられた複数の例示的な実装形態を含んでもよい。
【００２５】
第３の例において、ディスプレイと統合するカメラセンサ組立体は、カメラセンサと、第１面、及び、第１面に対してある角度で配置された第２面を有する反射鏡と、反射鏡の第１面からの光を伝導する第１光ファイバと、ある角度で配置された面を有し、反射鏡の第２面からの光を伝導する第２光ファイバとを備える。ディスプレイの表示要素から放出される複数の光線は、第１光ファイバに入射し、反射鏡を透過し、第２光ファイバを通じて出射することが可能であってもよく、光は、第２光ファイバに入射し、反射鏡からカメラセンサへと反射されることが可能であってもよい。反射鏡は、第２面上に配置された反射性コーティングを有してもよい。第２光ファイバは、反射鏡から反射された光が第２光ファイバを出射することを促す、その表面に形成された開放弁を有してもよい。カメラセンサ組立体は更に、反射鏡から反射する複数の光線の焦点をカメラセンサ上に合わせる集光レンズを備えてもよい。
【００２６】
第４の例において、ディスプレイは、ピクセルを生成する手段と、光学像の少なくとも一部を電子信号に変換する手段と、光を反射する手段とを備え、ディスプレイに入射する光は、光反射手段によって光変換手段に向けられ、ピクセル生成手段から発散する光は、光反射手段を透過してディスプレイを出射する。光変換手段の１つ又は複数は、ディスプレイの選択された領域に配置されてもよい。光変換手段の２つ又はそれより多くは、ディスプレイにおいて分散配置で配置されてもよい。ピクセル生成手段は、１つ又は複数の有機発光ダイオードを有する。光変換手段は、ピクセル生成手段と、ディスプレイの前面層との間の中間層内に配置されてもよい。光反射手段は、第１光ファイバと第２光ファイバとの間に配置され、カメラセンサ組立体を形成してもよい。ディスプレイは更に、複数の入射光線の焦点を光変換手段上に合わせるべく光反射手段と光変換手段との間に配置された、複数の光線の焦点を合わせる手段を備えてもよい。ディスプレイは更に、タッチスクリーンであり、ユーザがタッチスクリーンを介して入力を与えることを可能にするタッチスクリーンを備えてもよい。
【００２７】
第５の例において、ディスプレイを操作する方法は、ピクセルから発散してディスプレイを出射する光としてピクセルを生成する段階と、ディスプレイに入射する光を反射して、入射する光の少なくとも一部を電子信号へと変換する段階とを含む。反射する段階は、ディスプレイの選択された領域で、又は、ディスプレイにおいて分散態様で、生じてもよい。変換する段階は、ディスプレイの中間層で生じてもよい。反射する段階は、第１光ファイバと第２光ファイバとの間で生じてもよい。方法は更に、変換する段階を促すべく、複数の入射光線の焦点を合わせる段階を含んでもよい。
【００２８】
特許請求の範囲に記載された主題がある程度の詳細さで説明されたが、それの複数の要素は、特許請求の範囲に記載された主題の主旨および／または範囲から逸脱せずに、当業者によって変更され得ることが認識されるべきである。組み込み型カメラ、および／または、その複数の付随するユーティリティのうちの多くを備えるディスプレイに関する主題は、前述の説明によって理解されると思われる。特許請求の範囲に記載された主題の範囲および／または主旨から逸脱せずに、若しくは、その複数の材料的な利点を１つも犠牲にせずに、本明細書で前に説明された形態はそれの単に提示的な実施形態であって、および／または、更に、これに対する実質的な変更を提供せずに、様々な変更がそれの複数のコンポーネントの形態、構築および／または配置でなされ得ることは明らかであろう。そのような複数の変更を包含および／または含むことは、特許請求の範囲の意図するところである。
【図１】
0006275254.tif 000002
【図２】
0006275254.tif 000003
【図３】
0006275254.tif 000004
【図４Ａ】
0006275254.tif 000005
【図４Ｂ】
0006275254.tif 000006
【図５】
0006275254.tif 000007
【図６】
0006275254.tif 000008